(57)【特許請求の範囲】
【請求項１】
エキセントリック軸がピストンロッドの真上の位置となる状態で設けたモータ駆動のエキセントリック軸装置により上下動するピストンのまわりに電極を配し、これ等電極によって荷電粒子量の検出結果を流動電流計装置に送って汚水、上下水の汚れ具合を計測する形式の流動電流計装置における荷電粒子センサーに関し、上記モータ駆動のエキセントリック軸装置を取付ベースに装備し、この取付ベースを複数本の取付ネジを以て取付部に固定し、これ等取付ネジのうちの１本を除いた全部を外した状態において当該外されなかった取付ネジを中心として取付ベースを回し倒し可能とし、この回し倒し状態のときにエキセントリック軸がピストンロッドの真上位置からずれた位置となるようにして成ることを特徴とする流動電流計装置における荷電粒子センサー。
【発明の詳細な説明】
【０００１】
【発明の属する技術分野】
本発明は、たとえば汚水中の荷電粒子の量を電極を介して検出してそのデータを流動電流計に送ることによって汚れ度等を計測する等に供する流動電流計装置における荷電粒子センサーに関し、詳しくはピストンロッドの抜き外しまたは組み戻しを行い易くして分解・組立の能率向上を計るようにした流動電流計装置における荷電粒子センサーに関するものである。
【０００２】
【従来の技術】
従来知られているこの種の流動電流計装置における荷電粒子センサーは、エキセントリック軸がピストンロッドの真上の位置となる状態で設けたモータ駆動のエキセントリック軸装置により上下動するピストンのまわりに電極を配し、これ等電極によって荷電粒子量の検出データを流動電流計装置に送るようにしただけの構成であったためにピストンロッドの抜き外しまたは組み戻しが比較的困難で分解・組立が行い難い等の欠陥があった。
【０００３】
【発明が解決しようとする課題】
本発明は、上記欠陥を解消する工夫を施した新規の流動電流計装置における荷電粒子センサーを提供することを目的とするものである。
【０００４】
【課題を解決するための手段】
上記目的を達成するために本発明に係る流動電流計装置における荷電粒子センサーは、エキセントリック軸がピストンロッドの真上の位置となる状態で設けたモータ駆動のエキセントリック軸装置により上下動するピストンのまわりに電極を配し、これ等電極によって荷電粒子量の検出結果を流動電流計装置に送って汚水、上下水の汚れ具合を計測する形式の流動電流計装置における荷電粒子センサーに関し、上記モータ駆動のエキセントリック軸装置を取付ベースに装備し、この取付ベースを複数本の取付ネジを以て取付部に固定し、これ等取付ネジのうちの１本を除いた全部を外した状態において当該外されなかった取付ネジを中心として取付ベースを回し倒し可能とし、この回し倒し状態のときにエキセントリック軸がピストンロッドの真上位置からずれた位置となるようにして成るものである。
【０００５】
【実施例】
図に示す本発明に係る実施例は、シリンダ１と、シリンダ１の上に上下向きとして穿設したロッド通し孔２と、ロッド通し孔２に上方から挿通したピストンロッド３と、シリンダ１にピストンロッド３により上下動する状態として内蔵したピストン４と、シリンダ１のピストン移動周面に上下配置で設けた上下１対の白金線製電極５、６と、シリンダ１に同シリンダ１に連通する状態として且つロッド通し孔２を横切る状態として穿設した汚水通し孔７と、シリンダ１の底部に開設したプラグ８付きドレン孔９と、から成るセンサ１０であって、エキセントリック軸装置１１により上記ピストン４の上下運動をするようにしたものであり、これ等センサ１０、エキセントリック軸装置１１は取付盤１２に取付けられている。
【０００６】
上記シリンダ１は、ピストン４の上下移動空間１４を横切る個所で上下に分離し且つこれ等上下各分離面の外周にネジ締め式フランジ継手１５、１６を設けて当該シリンダ１を合体・再分離自在とすると共に上下両分離面に上下の凹所１７、１８を対設して円柱状の空間１９を形成し、またこれとは別個に、円柱状空間１９の高さよりも僅かに低く内周径を上記ピストン４の外径と同じとし外周径を上記円柱状空間１９の周径と同じとしたシリンダ主部形成体２０を構成し、このシリンダ主部形成体２０の四方の面を切除してこれを上から見たときに角丸の四角形を呈する形状とし、当該シリンダ主部形成体２０の上下面に合成樹脂製ワッシャ２１、２２を当ててこれ等を上記円柱状空間１９に上記分離・合体の操作を行うことによって装填するようにし、更にシリンダ主部形成体２０の上下各面の内周縁をＬ状に切除して上記白金線製電極５、６の嵌着溝２３、２４を設けると共に同シリンダ主部形成体２０の外周における一つの平面部に縦向き凹溝２５を設け、この縦向き凹溝２５の底面における上下端個所に上記電極嵌着溝２３、２４に連通する線出孔２６を、また上記円柱状空間１９の周壁に配線孔２８をそれぞれ開設したものである。
【０００７】
また、上記エキセントリック軸装置１１は、上記取付盤１２に大きい角孔３１を開設し、この角孔３１の外側にモータ等取付ベース３２を配して当該取付ベース３２を角孔３１の切縁に重合し且つこの重合縁の上側辺の両端個所と下辺の中間個所とを上側用取付ネジ２９および下側用取付ネジ３０により締付けて取付盤１２に取付ベース３２を固定すると共にこの取付ベース３２に減速ギャ装置３４付きモータ３４をそのシャフト３５の先端部が上記ピストンロッド３の真上位置となる状態で固定し、このモータ３４のシャフト３５に偏心輪３６を取付ネジ３７およびキー３８により回転不能として固着し、この偏心輪３６にベアリング３９付き外輪部４０およびアーム部４１から成る運動方向変向部材４２を連結し、この変向部材４２のアーム部４２の先端と上記ピストンロッド３の上端とを二叉部４３、連結軸４４、ロッドエンド４５およびスナップピン４６により連結し、よって偏心輪３６の回転によりピストンロッド３およびピストン４を上下方向に往復動するようにしたものである。
【０００８】
上記実施例は、所定の場所に設置し、汚水通し孔７の入口側から出口側に向って汚水管路（図示せず）から分流して得た汚水を流すように配管すると共に上下の電極５、６と流動電流計装置（Ｓｔｒｅａｍｉｎｇ  ｃｕｒｒｅｎｔ  ｄｅｔｅｃｔｏｒ）とを接続し、この状態においてモータ３２を回転させてピストン４を上下に往復動の状態とし、よって汚水中の荷電粒子量を電極５、６を介して流動電流計装置に送って計測する等の用法に供するようにしたものである。
【０００９】
そして、上記のような用法に供しているうちにピストン４および電極５、６およびそのまわりが汚水により汚れてしまうので、これを定期的または不定期的に清掃している。
【００１０】
この清掃を行う場合にはフランジ１５、１６のネジを外してシリンダ１の下半分を分離し、この分離した状態で下半分内からシリンダ主部形成体２０およびワッシャ２１、２２等を抜き出して分解し、更にシリンダ主部形成体２０から電極５、６を外し、よってこれ等およびピストン４周辺の清掃作業を行ったり電極を交換したりするようにしたものである。
【００１１】
また、上記清掃の際にピストンロッド３を外してこれも清掃したい等の場合には、先ず両方の上側用取付ネジ２９を外し状態とし且つ下側用取付ネジ３０を弛め状態としてから取付ベース３２を図において仮想線で示す位置に廻し倒すと共にスナップピン４６、連結軸４７および変向部材４２を外し、よってシャフト３５および偏心輪３６をピストンロッド３の真上からズレた位置すなわち当該ピストンロッド３の抜き出しスペースからズレた位置とし、この状態でピストンロッド３の抜き外し等の操作を行えばよい。
【００１２】
【発明の効果】
本発明はに係る流動電流計装置における荷電粒子センサーは、上記のようにエキセントリック軸がピストンロッドの真上の位置となる状態で設けたモータ駆動のエキセントリック軸装置により上下動するピストンのまわりに電極を配し、これ等電極によって荷電粒子量の検出結果を流動電流計装置に送って汚水、上下水の汚れ具合を計測する形式の流動電流計装置における荷電粒子センサーに関し、上記モータ駆動のエキセントリック軸装置を取付ベースに装備し、この取付ベースを複数本の取付ネジを以て取付部に固定し、これ等取付ネジのうちの１本を除いた全部を外した状態において当該外されなかった取付ネジを中心として取付ベースを回し倒し可能とし、この回し倒し状態のときにエキセントリック軸がピストンロッドの真上位置からずれた位置となるようにして成ることを特徴とするので、使用によってピストン、電極およびこれ等のまわりが汚れてしまった等のために内部を分解して清掃したり電極の交換をしたりする等の場合における分解操作・組立操作を顕著に容易にする効果を奏し且つこれ等操作に要する作業時間の短縮化を達成する効果を奏するものである。
【図面の簡単な説明】
【図１】本発明の実施例を示す正面図である。
【図２】図１Ａ−Ａ線に沿う断面図である。
【図３】図１Ｂ−Ｂ線に沿う断面図である。
【図４】図１Ｃ−Ｃ線に沿う断面図である。
【図５】図１Ｄ−Ｄ線に面図である。
【符号の説明】
１  シリンダ
２  ロッド通し孔
３  ピストンロッド
４  ピストン
５、６  電極
７  汚水通し孔
８  プラグ
９  ドレン孔
１０  センサ
１１  エキセントリック軸装置
１２  取付盤
１４  移動空間
１５、１６  フランジ継手
１７、１８  凹所
１９  円柱状空間
２０  シリンダ主部形成体
２１、２２  合成樹脂製ワッシャ
２３、２４  嵌着溝
２５  凹溝
２６  線出孔
２８  配線孔
２９  上側用取付ネジ
３０  下側用取付ネジ
３１  角孔
３２  取付ンベ−ス
３３  ギャ装置
３４  モータ
３５  シャフト
３６  偏心輪
３７  取付ネジ
３８  キー
３９  ベアリング
４０  外輪部
４１  アーム部
４２  変向部材
４３  二叉部
４４  連結軸
４５  ロッドエンド
４６  スナップピン
４８  締付ネジ
４９  締付リング
【図１】
0004180169.tif 000002
【図２】
0004180169.tif 000003
【図３】
0004180169.tif 000004
【図４】
0004180169.tif 000005
【図５】
0004180169.tif 000006